(57)【要約】【課題】  水槽内において水草を固定・植栽するための水槽用水草固定器具を提供する。【解決手段】  相対する横長長方形の可撓性樹脂シートからなる本体底辺中央外側方向に水平に張出した安定板を設け、本体内側に表面を波型に加工したスポンジを貼り付け、その本体二つをスポンジの波形面どうしを接して相対させ本体の左右両端を張合わせ、スポンジの波形面により形成された水草挟み部に水草を挟み込む構造としたことを特徴とする水槽用水草固定器具。【選択図】図１
2008136469.tif 000002
【特許請求の範囲】
【請求項１】
相対する横長長方形の可撓性樹脂シートからなる本体底辺中央外側方向に水平に張出した安定板を設け、本体内側に表面を波型に加工したスポンジを貼り付け、その本体二つをスポンジの波形面どうしを接して相対させ本体の左右両端を張合わせ、スポンジの波形面により形成された水草挟み部に水草を挟み込む構造としたことを特徴とする水槽用水草固定器具。
【請求項２】
相対する横長長方形の可撓性樹脂シートからなる本体内側に、表面を波型に加工したスポンジを貼り付け、その本体二つをスポンジの波型面どうしを接して相対させ本体の左右両端を張合わせ、スポンジの波形面により形成された水草挟み部に水草を挟み込む構造とし、その本体の片側に固定用吸盤を設けたことを特徴とする水槽用水草固定器具。
【請求項３】
横長長方形の可撓性樹脂シートからなる本体底辺に水平に複数の張出した安定板を設け、本体の両端に固定用スナップを設け、本体内側に表面を波型に加工したスポンジを複数貼り付け、本体を二つ折りしてスポンジの波形面どうしを接して相対させることで形成される水草挟み部に水草を挟み込み、本体の二つ折り状態をスナップ留めにより固定することを特徴とする水槽用水草固定器具。
【発明の詳細な説明】
【技術分野】
【０００１】  本発明は、水槽内において水草を固定・植栽するための、水槽用水草固定器具に関するものである。
【背景技術】
【０００２】  従来の水槽用水草固定器具としては、砂やスポンジなどを固定材として内部に入れて使う籠タイプのもの、柔軟なひも状錘を水草に巻きつけるタイプ、穴の空いた錘に水草と共にフェルト状の固定材を詰めて固定するタイプのもの等が知られている。
【発明の開示】
【発明が解決しようとする課題】
【０００３】  そのために次のような問題点があった。
（イ）スポンジや砂などを固定材として内部に入れて使う籠タイプのものは一度に多量の水草を植栽できるが、水草を植えるためにピンセット等の道具を使わなければならなかったり、中に砂をバランス良く詰めなければならない等、扱いに手間がかかる。
（ロ）柔軟なひも状錘を巻きつけるタイプは、水草の根元に巻き付けて容易に水草を植栽できるが、多量に水草を植えた場合一本水草が抜けると次々に抜けてしまう欠点がある。又抜けた後の錘が砂に紛れ再使用のため砂の中から探し出す事が困難である。
（ハ）穴の空いた錘に水草と共にフェルト状の固定材を詰めて固定するタイプは、一度に多量の水草を植えるのに向いておらず、固定する際に丁寧に扱わないと水草を束ねた部分を傷めやすい。
本発明は、これらの問題を解決するためになされたものである。
【課題を解決するための手段】
【０００４】  相対する横長長方形の可撓性の樹脂シートからなる本体底辺中央外側方向に水平に張出した安定板を設け、本体内側に表面を波形に加工したスポンジを貼り付け、その本体二つをスポンジの波形面どうしを接して相対させ本体の左右両端を張合わせ固定する。スポンジを挟み合せる固定器具本体の弾力と、固定器具を片手で挟むことにより水草挟み部を自在に開閉でき、水槽内に水草を固定・植栽・追加が容易にできる。以上を特徴とする水槽用水草固定器具である。
【発明の効果】
【０００５】  本発明は、本体を片手で挟むことにより水草挟み部を自在に開閉できるため、ピンセット等の道具を使う必要がなく一度に多量の水草を傷つけずに固定することができ、水槽内の砂や壁面に容易に植栽でき、水草の追加も容易に可能である。また、水草が一本抜けても次々と抜け落ちることはなく、器具の再使用も可能である。
【発明を実施するための最良の形態】  以下、本発明の実施の形態を説明する。
【実施例１】
【０００６】
【０００７】    （イ）相対して垂直に立てた横長長方形の可撓性の樹脂シートからなる本体（１）の外壁（２）の底辺中央部に、外側方向に水平に張出した安定板（３）を設ける。
（ロ）本体（１）の外壁（２）から安定板（３）の周辺にかけて縁壁（４）を設ける。
（ハ）本体（１）の内壁（５）中央部に、片面を波形に成型したスポンジ（６）を貼り付ける。
（ニ）対峙する本体（１）の内側に設けられた二つのスポンジ（６）の波形面（７）を接して相対させ、本体（１）の左右両端縁（８ａ）と縁（８ｂ）をそれぞれ接着固定する。
本発明は以上の構成からなっている。
本発明を使用するときは、上記本体（１）の縁（８ａ）と縁（８ｂ）を片手（９）で挟み、水草挟み部（１０）を開き水草（１１）の根元を挟み込む。本体（１）がスポンジ（６）を挟み込む弾力により、水草（１１）を傷つけず、且つ簡単に抜けない程度に水草（１１）が固定される。水草（１１）を固定した本体（１）を、安定板（３）が完全に水槽内の砂（１２）の中に埋まるように差込む。本体（１）は安定板（３）により砂（１２）の中から抜けにくくなる。水槽内の砂（１２）に植栽後も、本体（１）の縁（８ａ）と縁（８ｂ）を片手（９）で挟むことにより水草挟み部（１０）を開き、水草（１１）の追加・除去が容易に可能である。
【実施例２】
【０００８】    （イ）垂直に立てた横長長方形の可撓性の樹脂シートからなる本体（１３ａ）の中央部に穴（１４）を設け、吸盤（１５）を取り付ける。
（ロ）本体（１３ａ）の内壁（１６ａ）中央部に、片面を波に成形したスポンジ（６）を貼り付ける。
（ハ）垂直に立てた横長長方形の可撓性の樹脂シートからなる本体（１３ｂ）の内壁（１６ｂ）中央部に片面を波型に成型したスポンジ（６）を貼り付ける。
（ニ）本体（１３ａ）と本体（１３ｂ）を、各々のスポンジ（６）の波形面（７）どうしを接して相対させ、縁（１７ａ）と縁（１７ｂ）、縁（１７ｃ）と縁（１７ｄ）をそれぞれ接着固定する。
本発明は以上の構成からなっている。
本発明を使用するときは、上記本体（１３ａ）本体（１３ｂ）の縁（１７ａ）と縁（１７ｂ）、縁（１７ｃ）と縁（１７ｄ）を片手（９）で挟み、水草挟み部（１０）を開き水草（１１）の根元を挟み込む。本体（１３ａ）と本体（１３ｂ）がスポンジ（６）を挟み込む弾力により、水草（１１）を傷つけず且つ簡単に抜けない程度に水草（１１）が固定される。水草（１１）を固定した本体（１３ａ）と本体（１３ｂ）は、吸盤（１５）により水槽（１８）の内壁面に固定する。水槽内に植栽後も、本体（１３ａ）本体（１３ｂ）の縁（１７ａ）と縁（１７ｂ）、縁（１７ｃ）と縁（１７ｄ）を片手（９）で挟むことにより水草挟み部（１０）を開き、水草（１１）の追加・除去が容易に可能である。
【実施例３】
【０００９】    （イ）垂直に立てた横長長方形の可撓性の樹脂シートからなる本体（２０）の外壁（２１）底辺部に、外側方向水平に張出した安定板（３）を２個所並列して設ける。
（ロ）外壁（２１）から安定板（３）の周辺にかけて縁壁（４）を設ける。
（ハ）本体（２０）の左端にスナップ（２２ａ）を、本体（２０）の右端にスナップ（２２ｂ）を取り付ける。
（ニ）内壁（２３）に、片面を波形に成形したスポンジ（６）を２個並列して貼り付ける。
本発明は以上の構成からなっている。
本発明を使用するときは、上記の本体（２０）を中央部から二つ折りにし二つのスポンジ（６）の波形面（７）どうしを接して相対させ水草挟み部（１０）を形成し水草（１１）の根元を挟み込み、スナップ（２２ａ）とスナップ（２２ｂ）を合せて固定する。本体（２０）がスポンジ（６）を挟み込む弾力により、水草（１１）を傷つけず、且つ簡単に抜けない程度に水草（１１）が固定される。水草（１１）を固定した本体（２０）を、安定板（３）が完全に水槽内の砂（１２）の中に埋まるように差込む。本体（２０）は安定板（３）により砂（１２）の中から抜けにくくなる。
【図面の簡単な説明】
【００１０】
【図１】本発明の使用状態を示す分離図
【図２】本発明の透視図
【図３】本発明の使用状態を示す斜視図
【図４】本発明の使用状態を示す斜視図
【図５】本発明の使用状態を示す斜視図
【図６】本発明の他の実施例の斜視図
【図７】本発明の他の実施例の上面透視図
【図８】本発明の他の実施例の使用状態を示す分離図
【図９】本発明の他の実施例の使用状態を示す斜視図
【図１０】本発明の他の実施例の使用状態を示す斜視図
【図１１】本発明の他の実施例の透視図
【図１２】本発明の他の実施例の斜視図
【図１３】本発明の他の実施例の使用状態を示す斜視図
【図１４】本発明の他の実施例の使用状態を示す斜視図
【図１５】本発明の他の実施例の使用状態を示す斜視図
【図１６】本発明の他の実施例の使用状態を示す斜視図
【符号の説明】
【００１１】    １  本体
２  外壁
３  安定板
４  縁壁
５  内壁
６  スポンジ
７  波形面
８ａ  縁
８ｂ  縁
９  手
１０  水草挟み部
１１  水草
１２  砂
１３ａ  本体
１３ｂ  本体
１４  穴
１５  吸盤
１６ａ  内壁
１６ｂ  内壁
１７ａ  縁
１７ｂ  縁
１７ｃ  縁
１７ｄ  縁
１８  水槽
１９  水
２０  本体
２１  外壁
２２ａ  スナップ
２２ｂ  スナップ
２３  内壁
【図１】
2008136469.tif 000003
【図２】
2008136469.tif 000004
【図３】
2008136469.tif 000005
【図４】
2008136469.tif 000006
【図５】
2008136469.tif 000007
【図６】
2008136469.tif 000008
【図７】
2008136469.tif 000009
【図８】
2008136469.tif 000010
【図９】
2008136469.tif 000011
【図１０】
2008136469.tif 000012
【図１１】
2008136469.tif 000013
【図１２】
2008136469.tif 000014
【図１３】
2008136469.tif 000015
【図１４】
2008136469.tif 000016
【図１５】
2008136469.tif 000017
【図１６】
2008136469.tif 000018